(57)【要約】【課題】放送番組の視聴中に電波障害が発生した場合、又は通信を行う場合、視聴中の番組を見逃してしまうという課題を解決する。【解決手段】放送信号受信機能と通信機能を備えた情報端末装置は、移動通信の発呼又は着呼があったとき、受信中の放送信号を自動的に記録する。放送信号の受信不能を検出したとき、記録サーバに、受信中の放送信号を記録するように命令信号を自動的に送信する。【選択図】　図１
2004112076.tif 000002
【特許請求の範囲】
【請求項１】
放送信号の受信中における通信の発呼又は着呼を検出するための呼検出ステップと、放送信号の受信中における放送信号受信不能を検出するための受信不能検出ステップと、上記呼検出ステップにて発呼又は着呼を検出したとき又は上記受信不能検出ステップにて放送信号受信不能を検出したとき上記放送信号を記録するための記録ステップと、を含む放送信号受信機能と通信機能を有する端末装置を用いた放送記録方法。
【請求項２】
更に、移動通信の呼断を検出するための呼断検出ステップと、放送信号受信の回復を検出するための回復検出ステップと、上記呼断検出ステップにて移動通信の呼断を検出したとき又は上記回復検出ステップにて放送信号受信の回復を検出したとき上記放送信号の記録を停止するための記録停止ステップと、を含むことを特徴とする請求項１記載の放送記録方法。
【請求項３】
更に、上記記録停止ステップにて上記放送信号の記録を停止したとき、該記録した上記放送信号情報を再生する再生ステップを含むことを特徴とする請求項２記載の放送記録方法。
【請求項４】
上記記録ステップは、上記端末装置に設けられた記録装置に上記放送信号を記録することを特徴とする請求項１記載の放送記録方法。
【請求項５】
上記記録ステップは、外部の記録サーバに設けられた記録装置に上記放送信号を記録することを特徴とする請求項１記載の放送記録方法。
【請求項６】
上記記録ステップは、上記受信不能検出ステップにて放送信号受信不能を検出したとき外部の記録サーバに設けられた記録装置に上記放送信号を記録することを特徴とする請求項５記載の放送記録方法。
【請求項７】
上記記録ステップは、上記端末装置に設けられた記録装置に記録することが不可能であるとき外部の記録サーバに設けられた記録装置に上記放送信号を記録することを特徴とする請求項５記載の放送記録方法。
【請求項８】
放送信号の受信不能を検出したとき、外部の記録サーバに、受信中の放送信号を記録するように命令信号を送信するように構成されている放送信号受信機能と通信機能を備えた情報端末装置。
【請求項９】
通信の発呼又は着呼があったとき、受信中の放送信号を記録することを特徴とする請求項８記載の情報端末装置。
【請求項１０】
通信の発呼又は着呼があったとき、受信中の放送信号を記録するように構成されている放送信号受信機能と通信機能を備えた情報端末装置。
【請求項１１】
放送信号の受信不能を検出したとき、外部の記録サーバに、受信中の放送信号を記録するように命令信号を送信することを特徴とする請求項１０記載の情報端末装置。
【請求項１２】
放送信号を受信するための放送信号受信部と、放送信号の受信状況を検出するための受信状況検出部と、放送信号から得られた放送受信情報を記録するための受信信号記録部と、通信の発呼、着呼又は呼断を検出するための発着呼検出部と、記録開始・記録中止・再生指示情報を生成するための記録開始・記録中止・再生指示情報生成部と、を有し、該記録開始・記録中止・再生指示情報生成部は、上記受信状況検出部が放送信号の受信不能を検出したとき通信ネットワークを介して外部の記録サーバに放送信号の記録指示情報を送信し、上記発着呼検出部が通信の発呼又は着呼を検出したとき通信ネットワークを介して外部の記録サーバに放送信号の記録指示情報を送信し又は上記受信信号記録部に放送信号の記録指示情報を通知するように構成されている通信装置。
【請求項１３】
上記記録開始・記録中止・再生指示情報生成部は、上記発着呼検出部が通信の発呼又は着呼を検出したとき且つ上記受信信号記録部が記録不可能であると判定したとき通信ネットワークを介して外部の記録サーバに放送信号の記録指示情報を送信することを特徴とする請求項１２記載の通信装置。
【請求項１４】
上記請求項１２記載の通信装置において、通信ネットワークを介して記録サーバから再生情報を受信するための再生情報受信部と、上記再生情報を再生するための再生部と、を有し、上記記録開始・記録中止・再生指示情報生成部は、上記受信状況検出部が放送信号の受信回復を検出したとき通信ネットワークを介して外部の記録サーバに放送信号の記録中止指示情報を送信し、上記発着呼検出部が通信の呼断を検出したとき通信ネットワークを介して外部の記録サーバに放送信号の記録中止指示情報を送信し又は上記受信信号記録部に放送信号の記録中止指示情報を通知することを特徴とする通信装置。
【請求項１５】
上記請求項１２記載の通信装置において、上記記録開始・記録中止・再生指示情報生成部は上記外部の記録サーバに放送信号の記録中止指示情報を送信したとき記録再生指示情報を送信し、上記受信信号記録部に放送信号の記録中止指示情報を通知したとき、記録再生指示情報を通知するように構成されていることを特徴とする通信装置。
【請求項１６】
上記請求項１５記載の通信装置において、上記記録再生指示情報は、上記記録指示情報を生成した時刻から上記記録中止指示情報を生成した時刻までの時間を再生時間として含むことを特徴とする通信装置。
【請求項１７】
放送信号を受信するための放送信号受信部と、放送信号から得られた放送受信情報を記録するための受信信号記録部と、通信ネットワークを介して記録指示又は再生指示を受信したときに上記受信信号記録部に記録指示又は再生指示を通知するための制御部と、を有し、通信ネットワークから再生指示があったときに該通信ネットワークを経由して再生情報を送信することを特徴とする記録サーバ。
【請求項１８】
放送信号受信機能及び通信機能を有し且つ記録装置を備えた情報端末装置と記録装置を備えた記録サーバとを有する放送記録システムにおいて、
上記記録サーバは、上記情報端末装置が放送信号の受信中に受信不能を検出したとき、上記情報端末装置が受信中の放送情報を記録するように構成されている放送記録システム。
【請求項１９】
上記記録サーバは、上記情報端末装置が受信回復を検出したとき、放送情報の記録を中止することを特徴とする請求項１８記載の放送記録システム。
【請求項２０】
上記情報端末装置が放送信号の受信中に通信を開始したとき、上記記録サーバは上記情報端末装置が受信中の放送情報を記録することを特徴とする請求項１８記載の放送記録システム。
【請求項２１】
上記記録サーバは、上記情報端末装置が通信を終了したとき、放送情報の記録を中止することを特徴とする請求項１８記載の放送記録システム。
【請求項２２】
上記請求項１〜７のいずれか１項記載の放送記録方法を実現するプログラム。
【請求項２３】
上記請求項２２記載の放送記録方法を実現するプログラムを記録した記録媒体。
【発明の詳細な説明】
【０００１】
【発明の属する技術分野】
本発明は、放送番組の記録方法及び記録システムに関し、特に通信システムを介してテレビ放送番組を記録する方法及び装置に関する。
【０００２】
【従来の技術】
テレビジョン放送番組の視聴中に電話の着呼があった場合、通常、視聴を中断し、音量を下げて、通話を行う。通話中は、番組を視聴することができない。このような不便を解消するために、電話の着呼があったとき、自動的に視聴中のテレビ放送番組を録画する方法が提案されている。
【０００３】
特開２００１−３３３３３４には、テレビ受信機にモデムを内蔵し、固定電話の着信を検知したとき、視聴中のテレビ放送番組の自動的に録画することが記載されている。この文献には、更に、テレビ受信機に通信アンテナを設け、携帯電話の着信を検知したとき、視聴中のテレビ放送番組を自動的に録画することが記載されている。
【０００４】
家庭用電気機器の使用中に電話の着呼があった場合、通常、使用中の電気機器を停止し、又は電源を切ってから、通話を行う。通話が終了してから、電気機器のスイッチを元に戻す。このような不便を解消するために、家庭用電気機器の使用中に電話の着信があったとき、自動的に使用中の電気機器のスイッチを切断する方法が提案されている。
【０００５】
特開２００２−２７１４２には、家庭用電気機器を使用しているときに、電話の着信があったとき、電話機より、自動的に、使用中の電気機器を一時停止し、又は、電源をオフにするための信号を出力することが記載されている。こうして、従来、着信に応答するまでに実行していた電気機器の停止等の操作を省略することができる。
【特許文献１】
特開２００１−３３３３３４
【特許文献２】
特開２００２−２７１４２
【０００６】
【発明が解決しようとする課題】
しかしながら、特開２００１−３３３３３４及び特開２００２−２７１４２に開示された例では、通話終了後に録画を停止し、録画を再生する処理を手動で行わなければならない。また、電波障害等によりテレビ放送電波の受信が不能となった場合に対処できない。
【０００７】
【課題を解決するための手段】
本発明による放送記録方法および放送記録システムは、上記課題に鑑みて為されたものであり、各発明は以下の技術手段を構成する。
本発明によると、放送信号受信機能と通信機能を有する端末装置を用いた放送記録方法は、放送信号の受信中における通信の発呼又は着呼を検出するための呼検出ステップと、放送信号の受信中における放送信号受信不能を検出するための受信不能検出ステップと、上記呼検出ステップにて発呼又は着呼を検出したとき又は上記受信不能検出ステップにて放送信号受信不能を検出したとき上記放送信号を記録するための記録ステップと、を含む。
【０００８】
本発明によると、放送信号受信機能と通信機能を備えた情報端末装置は、放送信号の受信不能を検出したとき、外部の記録サーバに、受信中の放送信号を記録するように命令信号を送信する。更に、通信の発呼又は着呼があったとき、受信中の放送信号を記録する。
【０００９】
本発明によると、放送信号受信機能及び通信機能を有し且つ記録装置を備えた情報端末装置と記録装置を備えた記録サーバとを有する放送記録システムにおいて、
上記記録サーバは、上記情報端末装置が放送信号の受信中に受信不能を検出したとき、上記情報端末装置が受信中の放送情報を記録する。
従って、本発明によると、通信により又は電波障害等により視聴することができなかった放送番組を後から視聴することができる。
【００１０】
【発明の実施の形態】
先ず、図１を参照して、本発明によるテレビジョン（以下、単に、テレビと略称する。）放送番組の記録システムの例を説明する。本例のテレビ放送番組の記録システムは、テレビ放送受信可能な移動通信装置２０とテレビ放送番組を記録するための記録サーバ３０と通信システムを有する。通信システムは、図１に示すように、通信キャリア８とインターネット５と両者を介するゲートウェイ６を有してよい。
【００１１】
テレビ放送受信可能な移動通信装置２０は通信システムを介して移動通信を実行するための移動通信機能部２１と移動通信用アンテナ２２と表示部２３とテレビ放送局１２より放送されたテレビ放送電波を受信するためのテレビ放送受信機能部２５とテレビ放送受信用アンテナ２６と内蔵記録装置２７とを有する。移動通信機能部２１は、例えばＷ−ＣＤＭＡ方式の移動通信機能を有してよい。テレビ放送受信機能部２５は、例えば地上波デジタルテレビジョン放送を受信する機能を有してよいが、地上波アナログテレビジョン放送、ＢＳ（Ｂｒｏａｄｃａｓｔ　　Ｓａｔｅｌｌｉｔｅ）放送、ＣＳ（Ｃｏｍｍｕｎｉｃａｔｉｏｎ　　Ｓａｔｅｌｌｉｔｅ）放送等を受信する機能を有してもよい。
【００１２】
記録サーバ３０には、テレビ放送受信機３５とテレビ放送受信用アンテナ３６と記録装置３７が備えられている。テレビ放送受信可能な移動通信装置２０と記録サーバ３０の構成例の詳細は後に説明する。
【００１３】
本例のテレビ放送番組の記録システムを使用してテレビ放送番組を記録（録画）する方法を説明する。ユーザが、テレビ放送受信可能な移動通信装置２０によって、テレビ放送番組を視聴しているときに、通信相手１０から移動通信装置２０に着呼があったとする。又は、通信相手１０に対して移動通信装置２０から発呼を行ったとする。
【００１４】
本例によると、移動通信装置２０は、通信相手１０からの着呼又は通信相手１０への発呼を検出すると、ユーザが視聴中のテレビ放送番組を記録する。尚、移動通信装置２０は、着呼又は発呼を検出したときではなく、通話の開始を検出したときに、テレビ放送番組の記録を開始してもよい。しかしながら、以下では、着呼又は発呼を検出したときに、視聴中のテレビ放送番組を記録するものとして説明する。
【００１５】
更に、自動記録モードと手動記録モードを設けてもよい。自動記録モードでは、着呼又は発呼を検出したときに、自動的にテレビ放送番組を記録し、手動記録モードでは、着呼又は発呼を検出したときに、ユーザにテレビ放送番組を記録するか否かを問い、ユーザが記録の指示をおこなったときに、テレビ放送番組を記録する。この場合、表示部２３には、現在、自動記録モードが設定されているか手動記録モードが設定されているかが示される。しかしながら、以下では、着呼又は発呼を検出したときに、自動的にテレビ放送番組を記録するものとして説明する。
【００１６】
通信相手１０との通話が終了したら、テレビ放送番組の記録を中止する。ユーザは、記録したテレビ放送番組を再生することによって、通話中に視聴することができなかった番組の部分を視聴することができる。
【００１７】
番組の記録先は、移動通信装置２０の内蔵記録装置２７又は記録サーバ３０の記録装置３７である。移動通信装置２０の内蔵記録装置２７に番組を記録する場合には、移動通信装置２０は、発呼又は着呼を検出すると、内蔵記録装置２７に記録命令を出力する。移動通信装置２０は、通信の終了を検出すると、内蔵記録装置２７に記録中止命令を出力する。
【００１８】
記録サーバ３０の記録装置３７に記録する場合には、移動通信装置２０は記録サーバ３０に記録命令を送信する。移動通信装置２０からの記録命令は、移動通信用アンテナ２２を経由して通信キャリア８、ゲートウェイ６、インターネット５を介して記録サーバ３０に送信される。記録サーバ３０に設けられたテレビ放送受信機３５は、テレビ放送受信用アンテナ３６を介してテレビ放送電波を受信し、受信したテレビ放送番組を記録装置３７に記録する。移動通信装置２０からの記録中止命令は、同様に、記録サーバ３０に送信される。
【００１９】
更に、本例によると、移動通信装置２０は、ユーザがテレビ放送番組を視聴中に、テレビ放送の電波障害を検知した場合には、記録サーバ３０に記録命令を送信する。記録サーバ３０は、記録装置３７にテレビ放送番組を記録する。移動通信装置２０は、電波障害が回復したら、記録サーバ３０に記録中止命令を送信する。ユーザは、記録サーバ３０に記録されたテレビ放送番組を再生することによって、電波障害中に視聴することができなかった番組の部分を視聴することができる。
【００２０】
図１に示した例では、番組の記録先として、移動通信装置２０の内蔵記録装置２７又は記録サーバ３０の記録装置３７を使用したが、それら以外の記録先も可能である。例えば、Ｂｌｕｅ　Ｔｏｏｔｈ等の近距離無線通信を利用して、図示しない他の携帯記録装置等を、番組の記録先として、使用してよい。この場合、内蔵記録装置２７と同様に、電波障害の場合には使用できない。
【００２１】
更に、図１の例では、テレビ放送番組を記録する場合について説明したが、同様な方法によって、デジタル文字放送、デジタル音楽放送、番組情報等、テレビ放送局１２が放送する全ての番組、情報等を記録することができる。
【００２２】
Ｗ−ＣＤＭＡ方式の移動通信装置の場合には、移動通信の発着呼とインターネットの接続を同時に実行することが可能である。しかしながら、通常の携帯電話等のように、移動通信の発着呼とインターネットの接続を同時に実行することができない場合には、デュアルアンテナ等を設ければよい。それによって、インターネットを介して、記録サーバ３０へ記録命令を送信することができる。
【００２３】
図２を参照して、本発明によるテレビ放送受信可能な移動通信装置２０の構成例を説明する。本例の移動通信装置２０は、テレビ放送信号を受信するための放送信号受信部２２２と、放送信号を放送受信情報に変換するための放送受信情報変換部２２３と、放送受信情報を記録するための受信信号記録部２２４と、その記録状態を監視するための記録状態検出部２２５と、放送信号の受信状況を検出するための受信状況検出部２２６と、発着呼・呼断を検出するための発着呼検出部２２７と、記録開始・記録中止・再生指示情報を生成するための記録開始・記録中止・再生指示情報生成部２２８と、記録・再生指示情報送信先を管理するための記録・再生指示情報送信先管理部２２９と、通信ネットワークを介して記録・再生指示情報を送信するための記録・再生指示情報送信部２３０と、受信信号記録部２２４又は通信ネットワークからの再生情報を受信するための再生情報受信部２３１と、再生情報を画像情報に変換するための再生情報変換部２３２と、画像情報を再生するための再生部２３３と、記録・再生の制御に使用する指示時刻を計測するための指示時刻計測部２３４と、を有する。
【００２４】
テレビ放送信号はテレビ放送受信用アンテナ２６を介して放送信号受信部２２２によって受信され、更に、放送受信情報変換部２２３によって画像信号、即ち、放送受信情報に変換される。放送受信情報は、以下に説明する方法によって、受信信号記録部２２４によって記録され、再生部２３３によって再生される。
【００２５】
記録状態検出部２２５は、受信信号記録部２２４における記録状態を監視し、記録可能な状態か不可能な状態かを記録開始・記録開始・記録中止・再生指示情報生成部２２８に通知する。受信状況検出部２２６は、テレビ放送信号の受信状況を検出し、記録開始・記録中止・再生指示情報生成部２２８にテレビ放送受信状況を通知する。発着呼検出部２２７は、発着呼・呼断を検出し、記録開始・記録中止・再生指示情報生成部２２８に通話状況を通知する。
【００２６】
記録開始・記録中止・再生指示情報生成部２２８は、記録状態、放送受信状況、通話状況により、記録開始指示情報、記録中止指示情報又は再生指示情報を生成し、記録・再生指示情報送信先管理部２２９に通知する。記録・再生指示情報送信先管理部２２９は、ユーザが設定した記録先に対して記録・再生指示を通知する。
【００２７】
記録先が、内蔵記録装置２７の場合には、記録・再生指示情報送信先管理部２２９は受信信号記録部２２４に記録指示を通知し、再生部２３３に再生指示を通知する。記録先が、外部の記録サーバ３０の場合には、記録・再生指示情報送信先管理部２２９は、記録・再生指示情報送信部２３０に、記録・再生指示情報を送信する。記録・再生指示情報送信部２３０は、通信ネットワークを介して記録サーバ３０に記録・再生指示情報を送信する。
【００２８】
再生情報受信部２３１は、通信ネットワーク又は受信信号記録部２２４からの再生情報を受信し、それを再生情報変換部２３２に送信する。再生情報変換部２３２は、再生情報を画像情報に変換し、再生部２３３に送信する。再生部２３３は、記録・再生指示情報送信先管理部２２９からの再生指示に基づいて画像情報を再生する。
【００２９】
図３及び図４を参照して、本発明によるテレビ放送受信可能な移動通信装置の制御方法の例を説明する。
先ず、図３のステップＳ００１にて、本例のテレビ放送受信可能な移動通信装置によって、ユーザが、テレビ放送番組を視聴しているものとする。ステップＳ００２にて、テレビ放送番組の視聴中に、移動通信の発呼又は着呼があったか又はテレビ放送番組の視聴が不可能となったかを判定する。テレビ放送番組の視聴が不可能な場合には、例えば、電波障害等によるテレビ放送電波の受信が不可能な場合がある。発呼又は着呼があった場合又は視聴不可能となった場合には、ステップＳ００３にて、テレビ放送番組の記録先が設定されているか否かを判定する。記録先が設定されている場合は、ステップＳ００５に進む。
【００３０】
記録先が設定されていない場合は、ステップＳ００４にて、ユーザに記録先の設定を求める。ただし、電波障害の場合は、記録先として移動通信装置２０の記録装置２７を指定することはできない。ユーザによる記録先の設定がなされるとステップＳ００５に進む。
【００３１】
ステップＳ００５にて、ユーザによって設定された記録先が移動通信装置２０の内蔵記録装置２７かそれとも外部の記録サーバ３０の記録装置３７かを判定する。記録先が移動通信装置２０の内蔵記録装置２７である場合には、ステップＳ００６にて、内蔵記録装置２７に対して記録開始指示を送信する。ステップＳ００７にて、移動通信装置２０の内蔵記録装置２７は視聴中のテレビ放送番組の記録を開始する。そして、ステップＳ００９にて、呼断又は電波障害の回復を待つ。
【００３２】
記録先が外部の記録サーバ３０である場合には、ステップＳ００８にて、移動通信装置２０の記録・再生指示情報送信部２３０は外部の記録サーバ３０に対して記録開始指示情報を送信する。記録サーバ３０は、ユーザが視聴中のテレビ放送番組を、記録装置３７に記録する。そして、ステップＳ００９にて、呼断又は電波障害の回復を待つ。
【００３３】
次に、図４のステップＳ０１０にて、呼断又は電波障害の回復を待つ。ステップＳ０１１にて、呼断があったか又は電波障害が回復したかを判定する。呼断があったか又は電波障害が回復した場合には、ステップＳ０１２にて、「回復後の処理設定」がされているかどうかを判定する。「回復後の処理設定」は、呼断後又は電波障害の回復後に、例えば、記録中止、記録継続、記録再生等を実行することを予め設定することである。
【００３４】
回復後の処理設定がされている場合には、ステップＳ０１４に進む。回復後の処理設定がされていない場合には、ステップＳ０１３にて、ユーザに回復後の処理設定を求める。ユーザにより回復後の処理設定がなされると、ステップＳ０１４に進む。
【００３５】
ステップＳ０１４にて、記録先が移動通信装置２０の内蔵記録装置２７か又は外部の記録サーバ３０の記録装置３７かを判定する。記録先が移動通信装置２０の内蔵記録装置２７の場合には、ステップＳ０１５にて、回復後の処理の設定にて選択された指示を実行する。例えば、記録・再生指示情報送信先管理部２２９は、受信信号記録部２２４に対して記録中止を指示し、又は、再生部２３３に対して、内蔵記録装置２７に記録された番組の再生を指示する。記録先が記録サーバ３０の記録装置３７の場合には、ステップＳ０１６にて、移動通信装置２０の記録・再生指示情報送信部２３０は、回復後の処理の設定にて選択された指示を外部の記録サーバ３０に送信する。例えば、外部の記録サーバ３０の記録装置３７に記録された番組の再生等を実行する。その後、ステップＳ０１７にて、発呼又は着呼・電波障害待ち状態に移る。
【００３６】
本例の方法により、移動通信の発呼又は着呼があった場合、又は電波障害等によりテレビ放送番組の視聴が不可能となった場合に、テレビ放送番組を自動的に記録する。移動通信の呼断があった場合又は電波障害が回復した場合には、記録を中止し、記録したテレビ放送番組を再生する。従って、通話中に又は電波障害の間に、視聴することができなかったテレビ放送番組を視聴することができる。記録の開始、記録の中止、記録の継続及び再生等の処理は、自動的に実行されてよい。
【００３７】
図５を参照して、本発明によるテレビ放送受信可能な移動通信装置２０を使用した記録継続方法の例を説明する。先ず、ステップＳ０１８にて、本例のテレビ放送受信可能な移動通信装置２０の内蔵記録装置２７に、テレビ放送番組を記録する。ステップＳ０１９にて、テレビ放送番組の記録中に、移動通信装置２０の記録状態検出部２２５が記録不可能を検出したか又は受信状況検出部２２６が電波障害を検出したかを判定する。記録状態検出部２２５が記録不可能を検出する場合には、例えば、内蔵記録装置２７の記録容量が所定の量より少なくなった場合、内蔵記録装置２７が他の装置によって使用された場合、等がある。記録状態検出部２２５が記録不可能を検出した場合又は受信状況検出部２２６が電波障害を検出した場合には、ステップＳ０２０に進む。
【００３８】
ステップＳ０２０にて、記録継続を行うための第２の記録先が設定されているか否かを判定する。第２の記録先が設定されている場合には、ステップＳ０２２に進む。第２の記録先が設定されていない場合には、ステップＳ０２１にて、ユーザに第２の記録先の設定を求める。ユーザにより第２の記録先の設定がなされると、ステップＳ０２２に進む。
【００３９】
ステップＳ０２２にて、記録開始・記録中止・再生指示情報生成部２２８は、第２の記録先、例えば、外部の記録サーバ３０に記録開始指示情報を送信する。これにより外部の記録サーバ３０の記録装置３７にて、記録を継続することが可能となる。その後、ステップＳ０２３にて、発呼、着呼・電波障害待ち状態に移る。
【００４０】
図６を参照して、本発明によるテレビ放送受信可能な移動通信装置２０を使用した記録再生指示方法の例を説明する。本例では、外部の記録サーバ３０にテレビ放送番組を記録する。先ず、ステップＳ０２４にて、本例のテレビ放送受信可能な移動通信装置が、テレビ放送信号を受信し、ユーザが、テレビ放送番組を視聴する。ステップＳ０２５にて、テレビ放送番組の視聴中に、移動通信に発呼又は着呼があったか否か又は電波障害のためにテレビ放送番組の視聴が不可能であるか否かを判定する。移動通信に発呼又は着呼があった場合又はテレビ放送番組の視聴が不可能である場合には、ステップＳ０２６にて、記録開始・記録中止・再生指示情報生成部２２８は、指示時刻計測部２３４にて記録開始指示時刻Ａを記憶させ、外部の記録サーバ３０に記録開始指示情報を送信する。
【００４１】
ステップＳ０２７にて、呼断があったか又は電波障害が回復したかを判定する。呼断があったか又は電波障害が回復した場合には、ステップＳ０２８にて、記録開始・記録中止・再生指示情報生成部２２８は、指示時刻計測部２３４にて再生開始時刻Ｂを記憶させ、外部の記録サーバ３０に再生開始指示情報を送信する。
【００４２】
ステップＳ０２９にて、外部の記録サーバ３０の記録装置３７に記録されている全てのデータを再生したか否かを判定する。指示時刻計測部２３４に記憶された再生開始時刻Ｂと記録開始指示時刻Ａの差Ｂ−Ａが記録時間である。記録開始・記録中止・再生指示情報生成部２２８は、記録時間Ｂ−Ａが経過したか否かを判定することによって、記録装置３７に記録されている全てのデータを再生したか否かを判定することができる。
【００４３】
ステップＳ０３０にて、記録開始・記録中止・再生指示情報生成部２２８は、記録時間Ｂ−Ａが経過したことを検出すると、外部の記録サーバ３０に再生終了指示情報を送信する。外部の記録サーバ３０は再生処理を停止する。ステップＳ０３１にて、移動通信装置２０の内蔵記録装置２７を使用して、追いかけ再生や、記録継続を行う。
【００４４】
こうして本例では、発呼又は着呼又は電波障害の発生から呼断又は電波障害の回復まで、外部の記録サーバにて、テレビ放送番組を記録する。更に、呼断又は電波障害の回復時に自動的に外部の記録サーバ３０に記録された部分を再生すると同時に、移動通信装置２０の内蔵記録装置２７にてテレビ放送番組を記録する。外部の記録サーバ３０による再生が終了した時に、内蔵記録装置２７に記録されたテレビ放送番組を再生してもよい。
【００４５】
図７を参照して、本発明によるテレビ放送受信可能な移動通信装置を使用した記録再生指示方法の例を説明する。本例では、外部の記録サーバ３０にテレビ放送番組を記録する。先ず、ステップＳ０３２にて、本例のテレビ放送受信可能な移動通信装置が、テレビ放送信号を受信し、ユーザは、テレビ放送番組を視聴する。ステップＳ０３３にて、テレビ放送番組の視聴中に、移動通信に発呼又は着呼があったか否か又は電波障害のためにテレビ放送番組の視聴が不可能であるか否かを判定する。移動通信に発呼又は着呼があった場合又はテレビ放送番組の視聴が不可能である場合には、ステップＳ０３４にて、記録開始・記録中止・再生指示情報生成部２２８は記録サーバ３０に、記録開始指示情報を送信し、同時に、記録終了時刻情報を送信する。記録終了時刻情報は、ユーザが予め設定した記録終了時刻であってよいが、視聴中のテレビ放送番組の終了時刻を通信ネットワークから検知することによって生成してもよい。こうして本例では、発呼又は着呼又は電波障害時に、記録時間を指定して外部の記録サーバ３０に記録命令を行う。
【００４６】
図８を参照して、本発明による記録サーバ３０の構成例を説明する。本例の記録サーバ３０は、自宅ホームサーバや、Ｂｌｕｅ　Ｔｏｏｔｈ等で接続された携帯用記録装置等であってよい。ただし、携帯用記録装置の場合は、電波障害の際には使用できない。
【００４７】
記録サーバ３０は、テレビ放送信号を受信するための放送信号受信部３３６と、テレビ放送信号を放送受信情報に変換するための放送受信情報変換部３３７と、放送受信情報を記録するための受信信号記録部３３８と、受信信号記録部３３８に記録指示を送信し又は再生情報変換部３４０に再生情報送信指示を送信するための制御部３３９と、制御部３３９から再生情報送信指示があったときに送受信部３４１に再生情報を送信するための再生情報変換部３４０と、を有する。
【００４８】
テレビ放送信号は、テレビ放送受信用アンテナ３６を介して放送信号受信部３３６によって受信され、更に、放送受信情報変換部３３７によって、画像信号、即ち、放送受信情報に変換される。放送受信情報は、以下に説明するように、受信信号記録部３３８によって記録され、再生情報変換部３４０によって再生される。
【００４９】
送受信部３４１は、通信ネットワークを経由して記録指示又は再生指示を受信すると、それを制御部３３９に送信する。制御部３３９は、記録指示を受信信号記録部３３８に送信し、再生情報送信指示を再生情報変換部３４０に送信する。受信信号記録部３３８は制御部３３９からの記録指示に基づいて放送受信情報を記録する。再生情報変換部３４０は、制御部３３９からの再生情報送信指示に基づいて受信信号記録部３３８に記録された情報を再生情報に変換し、送受信部３４１に送信する。送受信部３４１は、再生情報を通信ネットワークを経由して移動通信装置２０に送信する。
【００５０】
本例の記録サーバ３０によると、移動通信装置２０から記録命令又は再生命令を受信した場合、テレビ放送信号の記録を開始し、又は、通信ネットワークを介して再生情報を移動通信装置２０に送信する。従って、記録サーバ３０は、移動通信装置２０からの遠隔指令によって記録又は再生を行う。
【００５１】
【発明の効果】
本発明によると、テレビ放送受信可能な移動通信装置は、テレビ放送番組の視聴中に、発呼又は着呼があった場合又は電波障害によりテレビ放送番組を視聴することができなくなった場合に、視聴中の番組を自動的に記録するから、通話又は電波障害のために視聴することができなかった番組を後から見ることができる利点がある。
【図面の簡単な説明】
【図１】本発明による移動通信装置を使用した記録システムの概要を示す図である。
【図２】本発明による移動通信装置の構成例を示す図である。
【図３】本発明による移動通信装置を使用した記録方法を説明するための流れ図である。
【図４】本発明による移動通信装置を使用した記録方法を説明するための流れ図である。
【図５】本発明による移動通信装置を使用した記録方法を説明するための流れ図である。
【図６】本発明による移動通信装置を使用した記録方法を説明するための流れ図である。
【図７】本発明による移動通信装置を使用した記録方法を説明するための流れ図である。
【図８】本発明による記録サーバの構成例を示す図である。
【符号の説明】
５…インターネット、６…ゲートウェイ、８…通信キャリア、１０…通信相手、１２…テレビ放送局、２０…テレビ放送受信可能な移動通信装置、２１…移動通信機能部、２２…移動通信用アンテナ、２３…表示部、２５…テレビ放送受信機能部、２６…テレビ放送受信用アンテナ、２７…内蔵記録装置、３０…記録サーバ、３５…テレビ放送受信機、３６…テレビ放送受信用アンテナ、３７…記録装置、２２２…放送信号受信部、２２３…放送受信情報変換部、２２４…受信信号記録部、２２５…記録状態検出部、２２６…受信状況検出部、２２７…発着呼検出部、２２８…記録開始・記録中止・再生指示情報生成部、２２９…記録・再生指示情報送信先管理部、２３０…記録・再生指示情報送信部、２３１…再生情報受信部、２３２…再生情報変換部、２３３…再生部、２３４…指示時刻計測部、３３６…放送信号受信部、３３７…放送受信情報変換部、３３８…受信信号記録部、３３９…制御部、３４０…再生情報変換部、３４１…送受信部
【図１】
2004112076.tif 000003
【図２】
2004112076.tif 000004
【図３】
2004112076.tif 000005
【図４】
2004112076.tif 000006
【図５】
2004112076.tif 000007
【図６】
2004112076.tif 000008
【図７】
2004112076.tif 000009
【図８】
2004112076.tif 000010